(57)【要約】【課題】装置を大型化してしまうことが無く、所有者のみが持っているキーの操作や、又は特定のパスワードや暗号コード等を電気的に入力することによってのみコンプレッサを作動できるようにして不正の使用を防止する。【解決手段】駆動回路１４へ駆動指令信号１６を出力することによって電動モータ１３を駆動するようにした制御回路１７に、この制御回路１７へ入力される圧力スイッチ等の信号入力線と直列にキースイッチ１１を配置し、キースイッチ１１がＯＦＦ状態のときには制御回路１７への信号の入力を遮断させるようにし、この制御回路１７によって制御回路１７へ信号の入力がされていないときに駆動回路１４への駆動指令信号１６の出力を停止させて電動モータ１３を駆動させないようにした。【選択図】図２
2005084793.tif 000002
【特許請求の範囲】
【請求項１】
制御回路からの駆動指令信号によって駆動回路を介して回転駆動される電動モータにより圧縮機構を駆動して空気を圧縮するようにしたコンプレッサにおいて、前記制御回路に入力される圧力スイッチ等の信号入力線と直列にキースイッチを配置し、キースイッチがＯＦＦ状態のときには制御回路への信号の入力を遮断させるようにし、前記制御回路によって制御回路へ信号の入力がされていないときに前記駆動回路への駆動指令信号の出力を停止させて電動モータを停止させるようにしたことを特徴とするコンプレッサの盗難防止装置。
【請求項２】
制御回路からの駆動指令信号によって駆動回路を介して回転駆動される電動モータにより圧縮機構を駆動して空気を圧縮するようにしたコンプレッサにおいて、前記制御回路にキースイッチを接続してキースイッチの操作による特定の接点信号を入力させるようするとともに、前記制御回路によって制御回路に入力された接点信号を判読させて前記駆動回路を介して電動モータの駆動及び停止を制御させるようにしたことを特徴とするコンプレッサの盗難防止装置。
【発明の詳細な説明】
【技術分野】
【０００１】
本発明は、電動モータによって圧縮機構を駆動させて圧縮空気を生成するようにした建築現場等に持ち込んで使用される軽量な可搬型のコンプレッサに関し、特に、所有者でない者による不正な使用ができないようにすることによってコンプレッサの盗難を防止する盗難装置に関する。
【背景技術】
【０００２】
一般に電動駆動のコンプレッサは釘打機等のエア機器を駆動させるために建築現場に持ち込んで使用される。このように現場に持ち込んで使用するコンプレッサでは毎日の作業の開始時に保管場所から出して設置したり、又は作業の終了時に保管場所へ収容することは労力と時間がかかり実行が困難なことが多い。そして現場での作業が長く続く場合には翌日にすぐ作業ができるようにコンプレッサを現場においたままで帰宅してしまうことがある。このためコンプレッサが盗難にあったり又は所有者ではない者によって不正に使用されて故障してしまったり又は事故を起こしてしまうことがあつた。
【０００３】
従来よりコンプレッサ等の電気器具の盗難を防止する装置として、コンプレッサの一部（グリップ部等）と建築物の柱等にチェーンを掛け回ししてチェーンの端部を鍵により施錠する方法とか、又は、コンプレッサ等の電気器具に電力を供給するための電源コードを現場の電柱等に掛け回しして、電源コードの先端のＡＣプラグを電気器具に形成したプラグ収容部に収容した状態で施錠することによって、盗難を防止する技術が提案されている。
【特許文献１】特開２０００−１５８３６２号公報
【発明の開示】
【発明が解決しようとする課題】
【０００４】
上記従来の技術では、携帯が可能な一般的な工具によって例えばチェーンや電源コードを切断する等により簡単にコンプレッサを分解できてしまうので、コンプレッサを作業現場から持ち出すことを防止することは困難であった。更に、一端切断した電源コードを接続修理することも簡単にできるので、所有者でない者による不正な使用を防止することもできなかった。また、図６に示すように、電動モータＭと圧力スイッチＰＳが直列に接続されているコンプレッサの電源回路に、電源回路を開閉させるためのキースイッチＫＳを直列に接続して、コンプレッサの所有者が持っている特定のキー操作によってのみ電源回路を開閉できるようにしてコンプレッサを駆動させるようにして、不正な使用を防止させる方法が一般的には考えられるが、モータの出力電流が大きいコンプレッサでは大きい電流容量のキースイッチが必要となり大型化したり、又は大きい容量のリレーを使用した増幅回路が必要となりコストアップとなってしまったり、小型軽量化が必要な市場では実用性に欠けるものであった。
【０００５】
本発明は、装置を大型化してしまうことが無く、所有者のみが持っているキーの操作を電気的に入力することによってのみコンプレッサを作動できるようにして不正の使用を防止することによってコンプレッサの盗難を防止することを課題とする。
【課題を解決するための手段】
【０００６】
上記課題を解決するため本発明のコンプレッサの盗難防止装置は、制御回路からの駆動指令信号によって駆動回路を介して回転駆動される電動モータにより圧縮機構を駆動して空気を圧縮するようにしたコンプレッサにおいて、前記制御回路に入力される圧力スイッチ等の信号入力線と直列にキースイッチを配置し、キースイッチがＯＦＦ状態のときには制御回路への信号の入力を遮断させるようにし、前記制御回路によって制御回路へ信号の入力がされていないときに前記駆動回路への駆動指令信号の出力を停止させて電動モータを停止させるようにしたことを特徴とする。
【０００７】
また、請求項２の発明は、制御回路からの駆動指令信号によって駆動回路を介して回転駆動される電動モータにより圧縮機構を駆動して空気を圧縮するようにしたコンプレッサにおいて、前記制御回路にキースイッチを接続してキースイッチの操作による特定の接点信号を入力させるようするとともに、前記制御回路によって制御回路に入力された接点信号を判読させて前記駆動回路を介して電動モータの駆動及び停止を制御させるようにしたことを特徴とする。
【発明の効果】
【０００８】
本発明のコンプレッサの盗難防止装置は、前記制御回路に入力される圧力スイッチ等の信号入力線と直列にキースイッチを配置し、キースイッチがＯＦＦ状態のときには制御回路への信号の入力を遮断させるようにし、前記制御回路によって制御回路へ信号の入力がされていないときに前記駆動回路への駆動指令信号の出力を停止させて電動モータを停止させるようにしているので、キーを持っていない者がこのコンプレッサを持出したとしても駆動させることができず、盗難を図る者の盗難意欲を喪失させることになり、盗難防止に効果がある。また、キースイッチには圧力スイッチによる小さな電流しか流れないので、小型のものが使用できコンプレッサの軽量・小型化が及びコストの上昇が防げる。
【０００９】
また、請求項２の発明は、前記制御回路にキースイッチを接続してキースイッチの操作による特定の接点信号を入力させるようするとともに、前記制御回路によって制御回路に入力された接点信号を判読させて前記駆動回路を介して電動モータの駆動及び停止を制御させるようにしているので、キーを持っていない者がこのコンプレッサを持出したとしてもコンプレッサを作動させることができず、盗難を図る者の盗難意欲を喪失させることになり、盗難防止に効果がある。また、キースイッチには圧力スイッチによる小さな電流しか流れないので、小型のものが使用できコンプレッサの軽量・小型化が及びコストの上昇が防げる。
【実施例１】
【００１０】
図１は本発明の第１の実施例にかかるコンプレッサ１を示すもので、長手方向の両端部の下面側に設置用のゴム脚２が取り付けられた長胴型の２つのエアタンク３が平行に設置されており、この２つのエアタンク３の間に架設されて両タンク３を接続しているベース上には、電動モータ、この電動モータによって駆動される圧縮機、圧力制御弁等のコンプレッサを構成している主要機構が配置されており、更に、電動モータへ駆動電力を供給して電動モータを回転駆動させる駆動回路と、前記駆動回路へ駆動指令信号を出力させて電動モータを駆動及び停止させるように制御する制御回路とからなる制御回路基板が搭載されており、更にこれらの主要機構及び制御回路基板を覆うように前記エアタンク３の上面側にカバー４が形成されている。
【００１１】
また。圧縮空気を取り出すためのエアソケット５と、エアソケット５から取り出す圧縮空気の圧力を調整操作するための圧力調整器の調整ダイヤル６、及び前記圧力調整器による調整圧力値を目視確認するための圧力計７等がカバー４の外側に臨ませて取り付けられている。更に、カバー４の側面から先端にＡＣプラグ８が取り付けられている電源コード９が引き出されており、ＡＣプラグ８をコンセントに接続して電源スイッチを操作することによってコンプレッサ１に電力が供給される。更に前記カバー４の外側面には、特定のキー１０によってのみ操作することのできるキースイッチ１１が取り付けられており、例えばコンプレッサ１の所有者が管理しているキー１０によってこのキースイッチ１１の回路を開閉操作できるようにしている。
【００１２】
図２は上記実施例にかかるコンプレッサ１の電気回路構成を示すもので、制御回路基板１２上には電動モータ１３へ駆動電力を供給する駆動回路１４と、例えばエアタンク３内の空気圧力を検出して作動する圧力スイッチ１５と接続されエアタンク３内の空気圧力によって制御された駆動指令信号１６を前記駆動回路１４へ出力するようにした制御回路１７が設けられており、各々の回路にはＡＣプラグ８を介して供給される電力が電源スイッチ１８を経て接続されており、電源スイッチ１８の投入によって各回路１４、１７へ電力が供給されるようにされている。前記制御回路１７に接続されている圧力スイッチ１５と直列に前記キースイッチ１１が挿入されており、キースイッチ１１がＯＦＦ状態の時には圧力スイッチ１５からの検出信号が制御回路１７へ入力されず、制御回路１７は駆動回路１４へ駆動指令信号１６を出力しないように制御している。従って、前記キースイッチ１１がＯＮ操作されていない状態では、駆動回路１４から電動モータ１３への駆動電力は供給されず、コンプレッサ１は駆動されない。
【００１３】
前記キースイッチ１１が所有者が管理しているキー１０によってＯＮ操作されると、キースイッチ１１がＯＮされて圧力スイッチ１５の検出信号が制御回路１７へ入力されるようになり、これによって制御回路１７は圧力スイッチ１５の検出信号に基づいて駆動回路１４へ制御された駆動指令信号１６を出力し、駆動回路１４はこの駆動指令信号１６に基づいて電動モータ１３へ駆動電力を供給して電動モータ１３を駆動させ、電動モータ１３により圧縮機構が駆動されて圧縮空気がエアタンク３に充填される。
【００１４】
上記のように、本実施例によれば制御回路１７に接続した圧力スイッチ１５と直列にキースイッチ１１を接続して、キースイッチ１１がＯＦＦの時には制御回路１７へ圧力検出信号が入力されないようにすることによって、電動モータ１３へ駆動電力を供給させずにコンプレッサ１を駆動させないようにしているので、特定のキー１０が無ければコンプレッサ１を駆動させることができず、従って所有者以外の者による不法な使用が防止できる。また、これによって盗難を図る意欲が喪失されて盗難防止の効果がある。更に、キースイッチ１１には圧力スイッチ１５による検出信号の電流しか流れず、電源電流のような大きな電流が流れないので、小型のものが使用できコンプレッサ１の軽量・小型化が可能となる。
【００１５】
図３は本発明の第２の実施例にかかるコンプレッサ１の電気回路構成を示すもので、この実施例の電気回路構成では、制御回路基板１２上に設けられている制御回路２０にはエアタンク３内の圧縮空気の圧力を検出する圧力センサ２１が接続されており、この圧力センサ２１の検出圧力値によって、制御回路２０が適切な駆動指令信号１６を駆動回路１４へ出力して電動モータ１３を駆動制御するようにしている。そしてこの制御回路２０にはキースイッチ２２が接続されており、キースイッチ２２が操作されることによって制御回路２０へキースイッチ２２の接点信号が入力されるようにしている。そして、制御回路２０ではキースイッチ２２から入力された接点信号を判読して判読結果が予め設定されたものと一致した場合にのみ、駆動回路１４へ駆動指令信号１６を出力するように作動する。従ってキースイッチ２２が操作されていない場合にはコンプレッサ１を駆動させることができず、キースイッチ２２を操作することのでき特定のキーを持っていないコンプレッサ１の所有者以外の者がコンプレッサ１を使用することができない。
【００１６】
図４は本発明の第３の実施例にかかるコンプレッサの電気回路構成を示すもので、このード又はカードリーダ等の入力装置３１を接続して、これらのキーボードやカードリーダ等の入力装置３１からパスワードや暗号コードを制御回路３０へ入力できるようにしており、制御回路３０では前記入力装置３１から入力されたパスワードや暗号コード等を予め制御回路３０内に記憶させているパスワードや暗号コード等と比較して入力されたものが記憶されたものと一致した場合にのみ駆動回路１４へ駆動指令信号１６を出力するように制御する。従って誤ったパスワードや暗号キーによってはコンプレッサ１を駆動させることができず、パスワードを知らないか又は正規のＩＣカード等を持っていないコンプレッサの所有者以外の者がコンプレッサを使用することができない。
【００１７】
図５は更に別の実施例を示すもので、前述の実施例と同様に特定のキーによって操作することのできるキースイッチ４１を制御回路４０に接続して設けており、更にこの実施例においては、前記制御回路４０によって開閉操作させるようにした電磁リレースイッチ４２によって電源スイッチを構成している。このように構成したコンプレッサにおいては、電源スイッチを投入操作するとともにキースイッチ４１を操作することによってコンプレッサを運転駆動させたあと、キースイッチ４１をＯＦＦ操作することによって制御回路４０から駆動回路へ出力される駆動指令信号を停止して電動モータを停止させコンプレッサの駆動を停止させる。制御回路４０はその後所定時間経過後に前記電磁リレースイッチ４２のコイルへの通電を遮断させて電磁リレースイッチ４２をＯＦＦさせてコンプレッサへの電力の通電が遮断されるようにしている。これによってコンプレッサの非使用時の制御回路基板１２への通電が遮断されて省エネが行える。
【図面の簡単な説明】
【００１８】
【図１】本発明の第１の実施例にかかるコンプレッサを示す斜視図
【図２】図１と同じコンプレッサの電気回路構成を示す回路図
【図３】第２の実施例にかかるコンプレッサの電気回路構成を示す回路図
【図４】第３の実施例にかかるコンプレッサの電気回路構成を示す回路図
【図５】第４の実施例にかかるコンプレッサの電気回路構成を示す回路図
【図６】従来のコンプレッサの電気回路構成を示す回路図
【符号の説明】
【００１９】
１  コンプレッサ
１０  キー
１１  キースイッチ
１３  電動モータ
１４  駆動回路
１７  制御回路
【図１】
2005084793.tif 000003
【図２】
2005084793.tif 000004
【図３】
2005084793.tif 000005
【図４】
2005084793.tif 000006
【図５】
2005084793.tif 000007
【図６】
2005084793.tif 000008